(57)【要約】【課題】実際の観察環境に近い自然なプレビュー画像を提供する。【解決手段】第２取得部１４Ｂは、仮想空間に配置された光源から該仮想空間に配置された原稿データの原稿面に照射される光の第１明るさと、光源から原稿面に到る直接光の強度と間接光の強度との第１強度比と、を含む環境情報を取得する。算出部１４Ｃは、第１明るさと第１強度比とに応じた光源の色情報を算出する。表示制御部１４Ｄは、仮想空間に原稿面を配置すると共に、色情報の色の光源を予め定めた位置に配置し、該原稿面を視点位置から視認した二次元画像に変換した原稿表示面を含む画像をプレビュー画像として表示部に表示する制御を行う。第３取得部１４Ｅは、第２明るさへの第１変更指示を取得する。調整部１４Ｆは、第２明るさと第１強度比とに応じた色情報を算出するように算出部１４Ｃを制御すると共に、該色情報を用いたプレビュー画像を表示するように表示制御部１４Ｄを制御する。【選択図】図４
2015232832.tif 000002
【特許請求の範囲】
【請求項１】
表示対象の原稿データを取得する第１取得部と、
三次元の仮想空間に配置された光源から該仮想空間に配置された前記原稿データの原稿面に照射される光の第１明るさと、前記光源が前記原稿面に与える光源効果としての、前記光源から前記原稿面に到る直接光の強度と間接光の強度との第１強度比と、を含む環境情報を取得する第２取得部と、
前記第１明るさと前記第１強度比とに応じた、前記光源の色情報を算出する算出部と、
前記仮想空間に前記原稿面を配置すると共に、前記色情報の色の前記光源を予め定めた位置に配置し、該原稿面を視点位置から視認した二次元画像に変換した原稿表示面を含む画像を、前記原稿データの印刷結果を推定したプレビュー画像として表示部に表示する制御を行う表示制御部と、
第２明るさへの第１変更指示を取得する第３取得部と、
前記第１変更指示を取得したときに、前記第２明るさと前記第１強度比とに応じた前記色情報を算出するように前記算出部を制御すると共に、該色情報を用いた前記プレビュー画像を前記表示部へ表示するように前記表示制御部を制御する調整部と、
を備えた、表示処理装置。
【請求項２】
前記色情報は、鏡面光の色情報と、拡散光の色情報と、環境光の色情報と、を含み、
前記第１強度比は、前記間接光に対する前記直接光の第１比率と、前記直接光に対する前記間接光の第２比率と、を示し、
前記算出部は、前記第１明るさと前記第１比率との乗算値を前記鏡面光の色情報として算出し、前記第１明るさと前記第１比率との乗算値を前記拡散光の色情報として算出し、前記第１明るさと前記第２比率との乗算値を前記環境光の色情報として算出する、
請求項１に記載の表示処理装置。
【請求項３】
前記環境情報は、前記仮想空間における前記光源の光源位置を更に含み、
前記表示制御部は、前記色情報の色の前記光源を前記光源位置に配置し、前記原稿表示面を含む画像を前記プレビュー画像として前記表示部に表示する制御を行う、
請求項１または請求項２に記載の表示処理装置。
【請求項４】
前記環境情報は、前記プレビュー画像の観察環境の背景画像を更に含み、
前記表示制御部は、前記背景画像上に前記原稿表示面を配置した前記画像を、前記プレビュー画像として前記表示部に表示する制御を行う、請求項１〜請求項３の何れか１項に記載の表示処理装置。
【請求項５】
取得した前記環境情報の履歴を示す環境履歴情報を記憶する記憶部を更に備えた、請求項１〜請求項４の何れか１項に記載の表示処理装置。
【請求項６】
前記第１取得部は、
表示対象の前記原稿データと、前記原稿データを印刷する記録媒体の質感情報と、を含む原稿属性情報を取得し、
前記表示制御部は、
前記色情報が算出されたときに、前記仮想空間に、前記質感情報に応じた反射率情報を前記原稿面に設定し、該原稿面を前記二次元画像に変換した前記原稿表示面を含む前記画像を、前記プレビュー画像として前記表示部に表示する制御を行う、
請求項１〜請求項５の何れか１項に記載の表示処理装置。
【請求項７】
表示対象の原稿データを取得するステップと、
三次元の仮想空間に配置された光源から該仮想空間に配置された前記原稿データの原稿面に照射される光の第１明るさと、前記光源が前記原稿面に与える光源効果としての、前記光源から前記原稿面に到る直接光の強度と間接光の強度との第１強度比と、を含む環境情報を取得するステップと、
前記第１明るさと前記第１強度比とに応じた、前記光源の色情報を算出するステップと、
前記仮想空間に前記原稿面を配置すると共に、前記色情報の色の前記光源を予め定めた位置に配置し、該原稿面を視点位置から視認した二次元画像に変換した原稿表示面を含む画像を、前記原稿データの印刷結果を推定したプレビュー画像として表示部に表示する制御を行うステップと、
第２明るさへの第１変更指示を取得するステップと、
前記第１変更指示を取得したときに、前記第２明るさと前記第１強度比とに応じた前記色情報を算出するように制御すると共に、該色情報を用いた前記プレビュー画像を前記表示部へ表示するように制御するステップと、
を含む表示処理方法。
【請求項８】
表示対象の原稿データを取得するステップと、
三次元の仮想空間に配置された光源から該仮想空間に配置された前記原稿データの原稿面に照射される光の第１明るさと、前記光源が前記原稿面に与える光源効果としての、前記光源から前記原稿面に到る直接光の強度と間接光の強度との第１強度比と、を含む環境情報を取得するステップと、
前記第１明るさと前記第１強度比とに応じた、前記光源の色情報を算出するステップと、
前記仮想空間に前記原稿面を配置すると共に、前記色情報の色の前記光源を予め定めた位置に配置し、該原稿面を視点位置から視認した二次元画像に変換した原稿表示面を含む画像を、前記原稿データの印刷結果を推定したプレビュー画像として表示部に表示する制御を行うステップと、
第２明るさへの第１変更指示を取得するステップと、
前記第１変更指示を取得したときに、前記第２明るさと前記第１強度比とに応じた前記色情報を算出するように制御すると共に、該色情報を用いた前記プレビュー画像を前記表示部へ表示するように制御するステップと、
をコンピュータに実行させるためのプログラム。
【発明の詳細な説明】
【技術分野】
【０００１】
本発明は、表示処理装置、表示処理方法、及びプログラムに関する。
【背景技術】
【０００２】
印刷を行う前に、印刷結果を推定したプレビュー画像を表示する装置が知られている（例えば、特許文献１、特許文献２参照）。
【０００３】
特許文献１には、観察環境の明るさを原稿に反映させて表示する技術が開示されている。また、特許文献１には、ユーザが印刷物を使用する場所の明るさに応じて、プレビュー画像の明るさを調整する技術が開示されている。特許文献２には、光源の形状や光の色を原稿に反映させて表示する技術が開示されている。
【発明の概要】
【発明が解決しようとする課題】
【０００４】
しかし、従来では、原稿データを表示した原稿面への間接光についての考慮がなされておらず、実際の観察環境に近い自然なプレビュー画像を提供することが出来なかった。
【課題を解決するための手段】
【０００５】
上述した課題を解決し、目的を達成するために、本発明の表示処理装置は、表示対象の原稿データを取得する第１取得部と、三次元の仮想空間に配置された光源から該仮想空間に配置された前記原稿データの原稿面に照射される光の第１明るさと、前記光源が前記原稿面に与える光源効果としての、前記光源から前記原稿面に到る直接光の強度と間接光の強度との第１強度比と、を含む環境情報を取得する第２取得部と、前記第１明るさと前記第１強度比とに応じた、前記光源の色情報を算出する算出部と、前記仮想空間に前記原稿面を配置すると共に、前記色情報の色の前記光源を予め定めた位置に配置し、該原稿面を視点位置から視認した二次元画像に変換した原稿表示面を含む画像を、前記原稿データの印刷結果を推定したプレビュー画像として表示部に表示する制御を行う表示制御部と、第２明るさへの第１変更指示を取得する第３取得部と、前記第１変更指示を取得したときに、前記第２明るさと前記第１強度比とに応じた前記色情報を算出するように前記算出部を制御すると共に、該色情報を用いた前記プレビュー画像を前記表示部へ表示するように前記表示制御部を制御する調整部と、を備える。
【発明の効果】
【０００６】
本発明によれば、実際の観察環境に近い自然なプレビュー画像を提供することができる、という効果を奏する。
【図面の簡単な説明】
【０００７】
【図１】図１は、実施の形態の表示処理装置の模式図である。
【図２】図２は、質感情報テーブルのデータ構造の一例を示す模式図である。
【図３】図３は、環境履歴情報のデータ構造の一例を示す図である。
【図４】図４は、表示処理部の機能ブロック図である。
【図５】図５は、光学効果調整画面の一例を示す図である。
【図６】図６は、仮想空間を示す模式図である。
【図７】図７は、原稿表示面の一例を示す図である。
【図８】図８は、原稿表示面の一例を示す図である。
【図９】図９は、原稿表示面の一例を示す図である。
【図１０】図１０は、明るさの調整画面の一例を示す図である。
【図１１】図１１は、原稿表示面の一例を示す図である。
【図１２】図１２は、原稿表示面の一例を示す図である。
【図１３】図１３は、表示処理の手順を示すフローチャートである。
【図１４】図１４は、表示処理システムの一例を示す模式図である。
【図１５】図１５は、ハードウェア構成図である。
【発明を実施するための形態】
【０００８】
以下に添付図面を参照して、表示処理装置、表示処理方法、及びプログラムの実施の形態を詳細に説明する。
【０００９】
（第１の実施の形態）
図１は、本実施の形態の表示処理装置１０の模式図である。
【００１０】
表示処理装置１０は、プレビュー画像の表示を制御する装置である。表示処理装置１０は、携帯可能な携帯端末であってもよいし、固定型の端末であってもよい。
【００１１】
表示処理装置１０は、撮影部１２、表示処理部１４、記憶部１６、入力部１８、及び表示部２０を備える。撮影部１２、表示処理部１４、記憶部１６、入力部１８、及び表示部２０は、バス２２により電気的に接続されている。
【００１２】
なお、表示処理装置１０は、少なくとも表示処理部１４及び記憶部１６を備えた構成であればよく、撮影部１２、入力部１８、及び表示部２０の少なくとも１つを別体として設けた構成であってもよい。
【００１３】
撮影部１２は、表示部２０に表示されたプレビュー画像の、実空間における観察環境を撮影する。これによって、撮影部１２は、実空間における観察環境の撮影画像として、背景画像を取得する。ユーザによって観察される観察環境は、例えば、オフィス、展示会場、駅の構内、駅のホーム、各種建物内等である。
【００１４】
撮影部１２は、公知の撮影装置である。撮影部１２は、ユーザによる入力部１８の操作指示によって撮影が指示されることで、観察環境の撮影を行い、背景画像を得る。なお、表示処理装置１０は、撮影部１２を備えない構成であってもよい。この場合には、背景画像を、予め記憶部１６に記憶すればよい。
【００１５】
入力部１８は、ユーザから各種操作を受け付ける。入力部１８は、例えば、マウス、マイクによる音声認識、ボタン、リモコン、及びキーボード等である。
【００１６】
表示部２０は、各種画像を表示する。表示部２０は、ＬＣＤ（Ｌｉｑｕｉｄ  Ｃｒｙｓｔａｌ  Ｄｉｓｐｌａｙ）や、画像を投影するプロジェクタ等、公知の表示装置である。
本実施の形態では、表示部２０には、後述するプレビュー画像が表示される。
【００１７】
なお、入力部１８と表示部２０とを一体的に構成したタッチパネルとしてもよい。
【００１８】
表示処理部１４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータである。表示処理部１４は、表示処理装置１０に設けられた装置各部を制御する。なお、表示処理部１４は、ＣＰＵ以外の回路などで構成してもよい。
【００１９】
本実施の形態では、表示処理部１４は、ＯｐｅｎＧＬ（Ｏｐｅｎ  Ｇｒａｐｈｉｃｓ  Ｌｉｂｒａｒｙ）などの３Ｄグラフィックエンジンを用いて、表示制御を行う。
【００２０】
記憶部１６は、メモリやハードディスクドライブ装置（ＨＤＤ）等の記憶媒体であり、後述する各処理を実行するための各種プログラムや、各種データを記憶する。
【００２１】
本実施の形態では、記憶部１６は、質感情報テーブルと、環境履歴情報と、を予め記憶する。
【００２２】
図２は、質感情報テーブルのデータ構造の一例を示す模式図である。質感情報テーブルは、質感情報と、反射情報と、を対応づけたテーブルである。なお、質感情報テーブルは、質感情報と反射情報とを対応づけた情報であればよく、テーブルのデータ形式に限定されない。例えば、質感情報テーブルは、データベースであってもよい。
【００２３】
質感情報は、プレビュー画像表示時に用いる質感（視覚的な効果）を示す情報である。本実施の形態では、質感情報は、画像形成対象の記録媒体の紙質の種類を、示すものとして説明する。
【００２４】
紙質の種類は、画像形成された紙を視認したときに、紙質の違いがユーザによって確認される程度に異なる種類毎に予め定められている。本実施の形態では、紙質の種類には、ミラーコート紙、グロス紙、マット紙等があるが、これら以外の種類を含んでいてもよい。
【００２５】
質感情報に対応する反射情報は、対応する質感情報（すなわち、画像形成対象の紙の紙質の種類）に応じた質感を表現するために用いる情報である。反射情報は、例えば、鏡面反射、拡散反射、環境反射、自発光、及び鏡面反射指数を含む。
【００２６】
鏡面反射は、鏡面反射の反射強度を示す。拡散反射は、拡散反射の反射強度を示す。環境反射は、環境反射の反射強度を示す。
【００２７】
自発光は、物体が自ら発光する光の光量を示す。なお、自発光に示される光量は、通常のプレビュー画像表示においては用いないが、画像形成対象の紙が蛍光増白剤を多く含む紙質の種類である場合には、演出として用いてもよい。
【００２８】
鏡面反射指数は、プレビュー画像における、三次元空間上に疑似的に配置した表示面と、表示処理部１４でサポートしている光源と、の距離に応じて光量の減衰を制御するためのパラメータである。
【００２９】
なお、本実施の形態では、質感情報テーブルは、予め記憶部１６に記憶されている場合を説明する。なお、質感情報テーブルに登録されている各情報は、ユーザによる入力部１８の操作指示などによって適宜更新可能である。
【００３０】
環境履歴情報は、過去に入力または設定された環境情報の履歴を示す情報である。環境情報は、背景画像と、光源位置と、光源効果と、明るさと、を含む。
【００３１】
なお、環境情報は、光源効果と、明るさと、を少なくとも含む情報であればよい。なお、本実施の形態では、環境情報は、背景画像と、光源位置と、光源効果と、明るさと、を含む場合を説明する。
【００３２】
図３は、環境履歴情報のデータ構造の一例を示す図である。環境履歴情報は、環境識別情報（以下、環境ＩＤと称する）と、環境名と、背景画像と、光源位置と、光源効果と、明るさと、を対応づけた情報である。環境履歴情報は、データベースであってもよいし、テーブルであってもよく、そのデータ形式は限定されない。
【００３３】
環境ＩＤは、対応する環境名、背景画像、光源位置、光源効果、及び明るさを、一意に識別する情報である。環境名は、ユーザが原稿データを紙に形成した印刷画像、または、原稿データの印刷結果を推定したプレビュー画像を観察する観察環境の名称を示す。
【００３４】
原稿データは、印刷対象、または印刷結果を推定したプレビュー画像の表示対象の、画像データを示す。背景画像は、対応する観察環境名によって特定される観察環境の背景画像である。なお、環境履歴情報は、背景画像を含まない形態であってもよい。この場合、背景画像は、別途、記憶部１６に格納すればよい。また、背景画像は、撮影部１２から取得した画像であってもよいし、図示を省略する外部装置などから取得した情報であってもよい。
【００３５】
光源位置は、対応する観察環境名によって特定される観察環境に応じた、三次元の仮想空間における光源の位置を示す。図３に示すように、光源位置は、三次元座標（ＸＹＺ座標）によって表される。なお、光源位置は、例えば、実空間における単位（例えば、ｃｍ）で示される。これは、ユーザによる設定のしやすさを考慮したものである。
【００３６】
光源効果は、上記三次元の仮想空間（以下、単に、仮想空間と称する）に配置された光源が、表示対象の原稿データの原稿面に与える光による効果を示す。原稿面は、原稿データを仮想空間に表示した表示画像を示す。
【００３７】
本実施の形態では、光源効果を、仮想空間に配置された光源から原稿面に到る直接光の強度と、該光源から原稿面に到る間接光の強度と、の強度比で表す。
【００３８】
直接光は、太陽やスポットライトや蛍光灯などの光源から照射され、直接原稿面に到る光である。間接光は、光源から照射され、他の物体などによって反射された後に、原稿面に到る光である。このため、直接光の強度が強いほど、光源から照射された光の原稿面への映り込みが強く、直接光の強度が弱いほど、該光の原稿面への映り込みが弱くなる。一方、間接光は散乱するため、原稿面における直接光の照射されない領域についても、明るさを与える。このため、間接光の強度が強いほど、原稿面は明るくなり、間接光の強度が弱いほど、原稿面は暗くなる。
【００３９】
図３に示す例では、環境名「オフィス」に対応する光源効果としての、“直接光「１．０」”と、“間接光「１．０」”と、は、直接光と間接光との強度比が、１．０対１．０であることを示す。
【００４０】
明るさは、仮想空間に配置された光源から原稿面に照射される光の明るさを示す。すなわち、明るさは、原稿面の全体の明るさを示す。
【００４１】
なお、各環境名に対応する、背景画像、光源位置、光源効果、および明るさの各々は、ユーザによる入力部１８の操作指示によって適宜変更可能である。
【００４２】
図１に戻り、説明を続ける。表示処理部１４は、主に、原稿データのプレビュー画像を表示部２０へ表示する制御を行う。
【００４３】
プレビュー画像は、原稿データを編集した画像の表示された表示面を含む。本実施の形態では、プレビュー画像は、背景画像上に、原稿データ等を編集した画像の表示された表示面を重ねた画像である場合を説明する（詳細後述）。本実施の形態では、表示処理部１４は、例えば、ＯｐｅｎＧＬなどの３Ｄグラフィックエンジンによりプレビュー画像の表示を実現する。
【００４４】
背景画像上に重ねる表示面は、本実施の形態では、原稿表示面である。原稿表示面は、原稿データの表示された原稿面に、観察環境の光属性を設定し、該光属性の設定された原稿面を視点位置から視認した二次元画像に変換した画像である。原稿表示面及びプレビュー画像の表示処理の詳細は、後述する。
【００４５】
なお、本実施の形態では、プレビュー画像は、背景画像上に、原稿表示面を配置した画像である場合を説明する。しかし、プレビュー画像は、原稿表示面を含む画像であればよく、背景画像を含まない形態であってもよい。また、プレビュー画像は、更に、他の表示面を含んだ画像であってもよい。
【００４６】
他の表示面としては、例えば、無色の現像剤を用いて形成する透明画像の表示された表示面や、無色の現像剤を用いて紙に与える表面効果を規定した表面効果画像の表示された表示面等が挙げられるが、これらに限られない。
【００４７】
プレビュー画像が、複数の表示面を含む場合には、プレビュー画像は、これらの複数の表示面を、仮想空間における異なる位置に配置した画像とすればよい。
【００４８】
図４は、表示処理部１４の機能ブロック図である。
【００４９】
表示処理部１４は、第１取得部１４Ａと、第２取得部１４Ｂと、算出部１４Ｃと、表示制御部１４Ｄと、第３取得部１４Ｅと、調整部１４Ｆと、を含む。
【００５０】
第１取得部１４Ａ、第２取得部１４Ｂ、算出部１４Ｃ、表示制御部１４Ｄ、第３取得部１４Ｅ、及び調整部１４Ｆの一部または全ては、例えば、ＣＰＵなどの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００５１】
第１取得部１４Ａは、表示対象の原稿データを取得する。表示対象とは、プレビュー画像として表示する対象を意味する。
【００５２】
第１取得部１４Ａは、例えば、ユーザによる入力部１８の操作によって指示された原稿データを取得する。
【００５３】
例えば、表示制御部１４Ｄが、記憶部１６に記憶されている原稿データの一覧を表示部２０に表示する。ユーザは、表示された原稿データの一覧を参照しながら、入力部１８を操作することで、表示対象の原稿データを選択する。入力部１８は、選択された原稿データの識別情報を表示処理部１４へ出力する。表示処理部１４の第３取得部１４Ｅは、入力部１８から取得した識別情報に対応する原稿データを記憶部１６から読取ることで、原稿データを取得する。
【００５４】
なお、第１取得部１４Ａは、図示を省略する外部装置などから図示を省略する通信部を介して原稿データを取得してもよい。
【００５５】
第１取得部１４Ａは、取得した原稿データを、表示対象の原稿データとして記憶部１６へ記憶する。
【００５６】
また、第１取得部１４Ａは、さらに、質感情報を取得してもよい。この場合、第１取得部１４Ａは、表示対象の原稿データと、原稿データを印刷する紙（記録媒体）の質感情報と、を含む原稿属性情報を取得する。なお、第１取得部１４Ａは、表示対象の原稿データを取得すればよい。ただし、本実施の形態では、一例として、第１取得部１４Ａが、表示対象の原稿データと、質感情報と、を含む原稿属性情報を取得する場合を説明する。
【００５７】
本実施の形態では、第１取得部１４Ａは、原稿属性情報を入力部１８から取得する。
【００５８】
第１取得部１４Ａによる原稿データの取得方法は、上述した通りである。第１取得部１４Ａによる質感情報の取得は、例えば、以下の方法で行えばよい。例えば、表示制御部１４Ｄが、記憶部１６に記憶されている質感情報テーブル（図２参照）に登録されている、質感情報（紙質の種類）の一覧を表示部２０に選択可能に表示する。ユーザによる入力部１８の操作指示によって、表示部２０に表示された質感情報の内の何れかが選択されると、入力部１８は、選択された質感情報を第１取得部１４Ａへ出力する。第１取得部１４Ａは、入力部１８から受け付けた質感情報を取得する。
【００５９】
第２取得部１４Ｂは、環境情報を取得する。環境情報は、第１明るさと、第１強度比と、を含む。
【００６０】
明るさとは、仮想空間に配置された光源から、該仮想空間に配置された表示対象の原稿データの原稿面に照射された光の明るさを示す。第１明るさは、明るさを示し、かつ、第２取得部１４Ｂで取得する環境情報に含まれる明るさである。
【００６１】
強度比とは、仮想空間に配置された光源が原稿面に与える光源効果を示し、光源から原稿面に到る直接光の強度と間接光の強度との強度比を示す。第１強度比は、強度比（すなわち、光源効果）を示し、かつ、第２取得部１４Ｂで取得する環境情報に含まれる強度比である。
【００６２】
第２取得部１４Ｂは、例えば、ユーザによる入力部１８の操作によって指示された環境情報を取得する。具体的には、表示制御部１４Ｄが、記憶部１６から環境履歴情報（例えば、図３参照）を読取り、選択可能に表示部２０に表示する制御を行う。ユーザは、入力部１８を操作することで、表示された環境履歴情報から、所望の環境ＩＤまたは環境名などを選択する。入力部１８は、受け付けた環境ＩＤまたは環境名を表示処理部１４へ出力する。表示処理部１４の第２取得部１４Ｂでは、入力部１８から受け付けた環境ＩＤまたは環境名に対応する光源効果（強度比）および明るさの各々を、記憶部１６に記憶されている環境履歴情報から読取り、第１強度比および第１明るさとして取得する。
【００６３】
なお、第１明るさ及び第１強度比の取得方法は、環境履歴情報から選択される方法に限定されない。
【００６４】
例えば、ユーザによる入力部１８の操作指示によって、光源効果としての強度比（第１強度比）や明るさ（第１明るさ）の入力を可能としてもよい。この場合、表示制御部１４Ｄは、例えば、光学効果を調整するための光学効果調整画面を表示部２０に表示すればよい。
【００６５】
図５は、光学効果調整画面６０の一例を示す図である。光学効果調整画面６０は、スライドバー６０Ｂと、スライドバー６０Ｂにおける調整位置を示すサム６０Ａと、を含む。スライドバー６０Ｂの延伸方向の一端側には、「直接光」の文字が表示され、他端側には、「間接光」の文字が表示されている。
【００６６】
ユーザは、スライドバー６０Ｂにおけるサム６０Ａの位置を調整することで、「直接光」と「間接光」との強度比を調整することができる。例えば、サム６０Ａをスライドバー６０Ｂの延伸方向の中央部に位置させることで、「直接光」と「間接光」との強度比を同じ値（１．０：１．０）に調整することができる。
【００６７】
また、ユーザは、入力部１８の操作指示によって、スライドバー６０Ｂの延伸方向の「直接光」側にサム６０Ａを位置させるほど、間接光に対する直接光の比率を増加させ、「間接光」側に位置させるほど、直接光に対する間接光の比率を増加させることができる。
【００６８】
入力部１８は、ユーザによる操作によって指示された、スライドバー６０Ｂの延伸方向におけるサム６０Ａの位置を取得することで、サム６０Ａの位置に応じた強度比を表示処理部１４へ出力する。表示処理部１４の第２取得部１４Ｂでは、入力部１８から受け付けた強度比を、第１強度比として取得すればよい。
【００６９】
なお、直接光が照射される場合と照射されない場合の強度の相対比は、直接光および間接光の一方を１．０として設定することで、他方を容易に設定しやすい。このため、光源効果を、実際の光の強度の値ではなく、直接光と間接光との比率で示すことで、ユーザは、容易に強度比を調整することができる。
【００７０】
第１明るさについても同様に、明るさの調整画面などを介して、入力部１８から取得してもよい。
【００７１】
そして、第２取得部１４Ｂは、取得した、第１明るさ及び第１強度比を含む環境情報を、設定情報として記憶部１６に記憶する。
【００７２】
なお、第２取得部１４Ｂは、光源効果（第１強度比）および第１明るさと共に、更に、背景画像と、光源位置と、を含む環境情報を取得してもよい。本実施の形態では、一例として、第２取得部１４Ｂは、光源効果（第１強度比）と、第１明るさと、背景画像と、光源位置と、を含む環境情報を取得する場合を説明する。
【００７３】
第２取得部１４Ｂは、例えば、ユーザによる入力部１８の操作によって指示された環境情報を取得する。具体的には、表示制御部１４Ｄが、記憶部１６から環境履歴情報（例えば、図３参照）を読取り、選択可能に表示部２０に表示する制御を行う。ユーザは、入力部１８を操作することで、表示された環境履歴情報から、所望の環境ＩＤまたは環境名を選択する。入力部１８は、受け付けた環境ＩＤまたは環境名を表示処理部１４へ出力する。表示処理部１４の第２取得部１４Ｂでは、入力部１８から受け付けた環境ＩＤまたは環境名に対応する、光源効果（強度比）、明るさ、背景画像、および、光源位置の各々を、記憶部１６に記憶されている環境履歴情報から読取り、第１強度比、第１明るさ、背景画像、および光源位置として取得する。
【００７４】
そして、第２取得部１４Ｂは、取得した環境情報を、第１取得部１４Ａで取得した表示対象の原稿データに対する設定情報として、記憶部１６に記憶する。
【００７５】
なお、光源位置、及び背景画像の取得方法は、環境履歴情報から選択される方法に限定されない。例えば、ユーザによる入力部１８の操作によって、所望の光源位置が入力される。第２取得部１４Ｂは、入力部１８から光源位置を受け付けることで、光源位置を取得してもよい。また、ユーザによる入力部１８の操作指示によって、入力部１８に記憶されている画像の内、背景画像として用いる画像が選択される。すると、第２取得部１４Ｂは、選択された画像を背景画像として取得してもよい、また、ユーザによる撮影部１２の操作指示によって撮影された画像を、第２取得部１４Ｂは、背景画像として取得してもよい。
【００７６】
算出部１４Ｃは、第２取得部１４Ｂで取得した、第１明るさと第１強度比とに応じた、光源の色情報を算出する。算出部１４Ｃは、記憶部１６に記憶されている設定情報に含まれる、第１明るさ及び第１強度比を読取り、色情報を算出する。
【００７７】
本実施の形態では、色情報は、鏡面光の色情報と、拡散光の色情報と、環境光の色情報と、を含む。そして、算出部１４Ｃは、第１強度比から、間接光に対する直接光の第１比率と、直接光に対する間接光の第２比率と、を算出する。例えば、直接光と間接光との第１強度比が、１．０対０．６である場合、算出部１４Ｃは、第１比率として０．６２５（１／１．６の値）を算出し、第２比率として０．３７５（０．６／１．６の値）を算出する。
【００７８】
次に、算出部１４Ｃは、色情報として、鏡面光の色情報、間接光の色情報、および環境光の色情報の各々を算出する。具体的には、算出部１４Ｃは、第１明るさと第１比率との乗算値を、鏡面光の色情報として算出する。また、算出部１４Ｃは、第１明るさと第１比率との乗算値を、拡散光の色情報として算出する。また、算出部１４Ｃは、第１明るさと第２比率との乗算値を、環境光の色情報として算出する。
【００７９】
具体的には、算出部１４Ｃは、下記式（１）〜式（３）を用いて、色情報を算出する。
【００８０】
鏡面光の色情報＝Ｓ×Ｔ    ・・・式（１）
拡散光の色情報＝Ｓ×Ｔ    ・・・式（２）
環境光の色情報＝Ｓ×Ｋ    ・・・式（３）
【００８１】
なお、式（１）〜式（３）中、Ｓは、明るさを示す。なお、Ｓは、０．０≦Ｓ≦１．２である。式（１）または、式（２）中、Ｔは、間接光に対する直接光の第１比率を示す。なお、Ｔは、０．０≦Ｔ≦１．０である。また、式（３）中、Ｋは、直接光に対する間接光の第２比率を示す。なお、Ｋは、０．０≦Ｋ≦１．０である。
【００８２】
算出部１４Ｃは、式（１）〜式（３）中のＳに、明るさとして、設定情報に含まれる第１明るさを代入し、Ｔに、強度比として、上記第１強度比から算出した第１比率を代入し、Ｋに、強度比として、上記第１強度比から算出した第２比率を代入することで、上記色情報を算出する。
【００８３】
表示制御部１４Ｄは、プレビュー画像を表示部２０に表示する制御を行う。プレビュー画像は、表示対象として受け付けた原稿データの印刷結果を推定した画像である。
【００８４】
表示制御部１４Ｄは、３Ｄグラフィックエンジン（本実施の形態では、ＯｐｅｎＧＬ）を用いて、プレビュー画像を生成し、表示部２０へ表示する制御を行う。
【００８５】
詳細には、表示制御部１４Ｄは、算出部１４Ｃによって色情報が算出されると、まず、仮想空間内に、第１取得部１４Ａによって取得された表示対象の原稿データの原稿面を配置する。
【００８６】
そして、表示制御部１４Ｄは、算出部１４Ｃによって算出された色情報の色の光源を、仮想空間における予め定めた位置に配置する。
【００８７】
なお、第２取得部１４Ｂが、光源位置を含む環境情報を取得した場合には、表示制御部１４Ｄは、取得した環境情報に含まれる光源位置に光源を配置する。このとき、上述したように、光源位置は、実空間における単位で示されている。このため、表示制御部１４Ｄは、取得した光源位置の単位を、仮想空間で用いる単位に変換し、単位変換後の光源位置に光源を配置する。
【００８８】
さらに、表示制御部１４Ｄは、この仮想空間内に配置した原稿面に、取得した質感情報に対応する反射情報と光属性とを設定する。
【００８９】
詳細には、表示制御部１４Ｄは、第１取得部１４Ａで取得した原稿データを表示した原稿面に、第２取得部１４Ｂで取得した質感情報に対応する反射情報と、第２取得部１４Ｂで取得した環境情報によって特定される光属性と、を設定する。
【００９０】
表示制御部１４Ｄは、第２取得部１４Ｂで取得した質感情報に対応する反射情報を、質感情報テーブル（図２参照）から読取ることで取得し、原稿面に設定する。
【００９１】
光属性は、３Ｄエンジンにおける、光源の位置、光源の光の色を示す色情報、及び光源の方向を含む。本実施の形態では、光源の方向は、予め設定されているものとする。表示制御部１４Ｄは、光源の光の色を示す色情報として、算出部１４Ｃで算出された色情報を設定する。また、表示制御部１４Ｄは、光源の位置として、第２取得部１４Ｂで取得した環境情報に含まれる光源位置を設定する。このとき、上述したように、単位変換を行う。
【００９２】
次に、表示制御部１４Ｄは、原稿面の表示時の法線ベクトル、および仮想空間における原稿面の配置位置を設定する。例えば、表示制御部１４Ｄは、原稿面の法線ベクトル及び配置位置を記憶部１６から読み取る。なお、本実施の形態では、原稿面の法線ベクトル及び配置位置は、予め定められており、記憶部１６に記憶されているものとする。
【００９３】
なお、原稿面の配置位置や、プレビュー画像が複数の表示面を含む場合の各表示面の間隔は、ユーザによる入力部１８の操作指示によって、任意の間隔に変更可能としてもよい。
【００９４】
次に、表示制御部１４Ｄは、仮想空間における予め定めた配置位置に、質感情報に対応する反射情報、および、光属性の設定された原稿面をテクスチャマッピングする。
【００９５】
そして、表示制御部１４Ｄは、この原稿面を視点位置から視認した二次元画像に変換した原稿表示面を含む画像を、原稿データの印刷結果を推定したプレビュー画像として表示部２０に表示する制御を行う。なお、本実施の形態では、一例として、視点位置が、原稿面の法線に位置するものとして説明する。なお、視点位置は、原稿面の法線に位置するものに限定されない。
【００９６】
仮想空間内に配置した原稿面の、視点位置から視認した二次元画像への変換には、３Ｄグラフィックエンジンを利用すればよい。
【００９７】
本実施の形態では、表示制御部１４Ｄは、取得した環境情報に含まれる背景画像を、仮想の三次元空間の表示領域に合わせて原稿面の背後に配置する。そして、表示制御部１４Ｄは、背景画像上に、該原稿面を重ねる。そして、表示制御部１４Ｄは、背景画像上に、該原稿面を該原稿面の法線に位置する視点位置から視認した二次元画像に変換した原稿表示面を含む画像を、前記原稿データの印刷結果を推定したプレビュー画像として表示部２０に表示する制御を行う。
【００９８】
このため、原稿表示面には、設定された明るさのもとで、記録媒体の質感情報に応じた反射率と、光源と原稿面と視点との位置関係と、に応じた光源による光が映り込んだ状態となる。すなわち、表示部２０には、取得した環境情報に応じたプレビュー画像が表示される。
【００９９】
図６は、プレビュー画像を構成するための仮想空間（仮想の三次元空間）Ｓを示す模式図である。表示制御部１４Ｄは、仮想空間Ｓに原稿面３１を配置する。そして、表示制御部１４Ｄは、この原稿面３１に、取得した質感情報に対応する反射情報と、光属性と、を設定する。また、表示制御部１４Ｄは、原稿面３１の背後に、背景画像３０を配置する。また、表示制御部１４Ｄは、仮想空間における光源Ｌを、取得した環境情報に含まれる光源位置に配置する。また、表示制御部１４Ｄは、該光源Ｌの色情報として、算出部１４Ｃで算出された色情報を用いる。
【０１００】
そして、表示制御部１４Ｄは、この仮想空間Ｓ内に配置した原稿面３１を、３Ｄグラフィックエンジンを利用して、原稿面３１の法線（法線上における、原稿表示面３２に対して背景画像３０の対向側）に位置する視点位置Ｐから視認した二次元画像に変換し、原稿表示面３２とする。そして、表示制御部１４Ｄは、この原稿表示面３２を含む画像を、プレビュー画像３４として表示部２０に表示する制御を行う。
【０１０１】
なお、本実施の形態では、表示制御部１４Ｄは、仮想空間Ｓ内に配置した原稿面３１と、原稿面３１の背後に配置した背景画像３０と、を視点位置Ｐから視認した二次元画像を、背景画像３０上に原稿表示面３２を配置したプレビュー画像３４として、表示部２０に表示する制御を行う。
【０１０２】
図７〜図９は、プレビュー画像３４に含まれる原稿表示面３２の一例を示す図である。なお、図７〜図９は、環境情報に含まれる明るさである第１明るさは同じであるが、第１強度比の値が互いに異なる、プレビュー画像３４の一例である。
【０１０３】
ここで、上述したように、本実施の形態では、第２取得部１４Ｂは、光源効果を含む環境情報を取得する。本実施の形態では、光源効果は、上述したように、仮想空間に配置された光源から原稿面に到る直接光の強度と、該光源から原稿面に到る間接光の強度と、の強度比で表す。そして、算出部１４Ｃは、取得した環境情報に含まれる明るさである第１明るさと、該環境情報に含まれる強度比である第１強度比と、に応じた、光源の色情報を算出する。さらに、表示制御部１４Ｄは、算出された色情報の色の光源を仮想空間における予め定めた位置に配置し、仮想空間に配置した原稿面を、視点位置から視認した二次元画像に変換した原稿表示面３２を含む画像を、プレビュー画像３４として用いる。
【０１０４】
このため、原稿表示面３２には、取得した第１明るさと、取得した光源効果としての第１強度比と、を含む光属性が設定された状態となる。
【０１０５】
このため、例えば、第１強度比によって示される、直接光の強度と間接光の強度との比が同じである場合、表示制御部１４Ｄは、例えば、図７に示す原稿表示面３２Ａを生成する。原稿表示面３２Ａは、原稿表示面３２Ａにおける直接光の反射領域Ａと、原稿表示面３２Ａにおける該領域以外の反射領域（間接光の反射領域）Ｂと、の双方が明るい状態となる。光源の直下などに、原稿データを印刷した記録媒体を配置した場合には、図７のような見え方で記録媒体が視認される場合が多い。
【０１０６】
一方、第１強度比によって示される強度が、「直接光の強度＞間接光の強度」（直接光の強度が間接光の強度より強い）ことを示す場合、表示制御部１４Ｄは、例えば、図８に示す原稿表示面３２Ｂを生成する。原稿表示面３２Ｂにおける直接光の反射領域Ａは明るいが、原稿表示面３２Ｂにおける間接光の反射領域Ｂは、暗い状態となる。なお、上述したように、原稿表示面３２Ｂの第１明るさは、原稿表示面３２Ａ（図７参照）と同じである。原稿データを印刷した記録媒体を視認するときに、該記録媒体の周囲に乱反射する物体が少なかったり、周囲の壁の色が濃く反射しにくかったりするような場合などでは、図８のような見え方で、該記録媒体が視認される場合が多い。
【０１０７】
また、第１強度比によって示される強度が、「直接光の強度＜間接光の強度」（直接光の強度が間接光の強度より弱い）ことを示す場合、表示制御部１４Ｄは、例えば、図９に示す原稿表示面３２Ｃを生成する。原稿表示面３２Ｃにおける直接光の反射領域Ａは、図７及び図８に比べて暗く、間接光の反射領域Ｂは、図７及び図８に比べて明るくなる。なお、上述したように、原稿表示面３２Ｃの第１明るさは、原稿表示面３２Ａ（図７参照）と同じである。原稿データを印刷した記録媒体を、曇り空の屋外などで視認する場合には、図９に示す見え方で視認される場合が多い。
【０１０８】
このように、本実施の形態では、表示制御部１４Ｄは、直接光の強度と間接光の強度との強度比を考慮したプレビュー画像３４を、表示部２０に表示させることができる。
【０１０９】
図４に戻り、第３取得部１４Ｅは、表示部２０に表示されたプレビュー画像３４について、環境情報、または原稿属性情報の変更指示を取得する。
【０１１０】
詳細には、第３取得部１４Ｅは、表示部２０に表示されたプレビュー画像３４について、環境情報に含まれる各項目（背景画像、光源位置、光源効果、明るさ）の少なくとも１つ、または、原稿属性情報に含まれる各項目（原稿データ、質感情報）の少なくとも１つ、の変更指示を取得する。
【０１１１】
第３取得部１４Ｅは、例えば、明るさの変更指示を取得する。なお、具体的には、第３取得部１４Ｅは、第１変更指示を取得する。第１変更指示は、プレビュー画像３４の表示に用いた明るさ（第１明るさ）の、第２明るさへの変更指示である。すなわち、本実施の形態では、変更指示の内、明るさの変更指示を、第１変更指示と称して説明する。また、第１変更指示に含まれる、変更後の明るさを、第２明るさ、と称して説明する。
【０１１２】
第１変更指示は、例えば、調整画面を介して入力される。例えば、表示処理装置１０における、明るさの変更指示を入力するための予め定めた領域が、ユーザによる入力部１８の操作によって指示されたとする。すると、表示制御部１４Ｄは、明るさの調整画面を表示部２０に表示する。
【０１１３】
図１０は、明るさの調整画面６２の一例を示す図である。明るさの調整画面６２は、スライドバー６２Ｂと、スライドバー６２Ｂにおける調整位置を示すサム６２Ａと、を含む。スライドバー６２Ｂの延伸方向の一端側には、「明るい」の文字が表示され、他端側には、「暗い」の文字が表示されている。
【０１１４】
ユーザは、スライドバー６２Ｂにおけるサム６２Ａの位置を調整することで、原稿面３１の全体の明るさを調整する。例えば、ユーザは、入力部１８の操作指示によって、スライドバー６２Ｂの延伸方向の「明るい」側にサム６２Ａを位置させるほど、明るさを向上させ、「暗い」側に位置させるほど、暗くなるように、明るさを調整することができる。
【０１１５】
入力部１８は、ユーザによる操作によって指示された、スライドバー６２Ｂの延伸方向におけるサム６２Ａの位置を取得することで、サム６２Ａの位置に応じた明るさを示す値を表示処理部１４へ出力する。表示処理部１４の第３取得部１４Ｅでは、入力部１８から受け付けた明るさを、第２明るさとして取得する。
【０１１６】
同様に、第３取得部１４Ｅは、環境情報に含まれる、明るさ以外の項目の変更指示を入力部１８から取得する。また、第３取得部１４Ｅは、原稿属性情報の各項目の変更指示を入力部１８から取得する。
【０１１７】
図４に戻り、調整部１４Ｆは、第３取得部１４Ｅが変更指示を取得すると、変更指示によって特定される各項目を反映させたプレビュー画像３４を再生成するように、算出部１４Ｃ、および表示制御部１４Ｄを制御する。
【０１１８】
具体的には、第３取得部１４Ｅで取得した変更指示が、プレビュー画像３４の明るさを第２明るさへ変更する第１変更指示であったとする。
【０１１９】
この場合、調整部１４Ｆは、第１変更指示を取得したときに、該第１変更指示によって示される変更後の明るさである第２明るさと、第１強度比とに応じた、色情報を算出するように、算出部１４Ｃを制御する。すなわち、調整部１４Ｆは、強度比については、現在表示部２０に表示しているプレビュー画像３４における原稿表示面３２の色情報の算出に用いた強度比である第１強度比を用い、明るさについては、第１明るさに代えて第２明るさを用いて、色情報を算出するように、算出部１４Ｃを制御する。
【０１２０】
このため、算出部１４Ｃは、強度比については前回のプレビュー画像３４の表示時に用いられた第１強度比を維持したまま、明るさについてのみ、第１変更指示によって示される第２明るさに変更する。そして、算出部１４Ｃは、第１強度比と、第２明るさと、を用いて、上記式（１）〜式（３）を用いて、新たな色情報を算出する。
【０１２１】
すなわち、算出部１４Ｃは、上記式（１）〜式（３）を用いた色情報の算出において、明るさＳとして、第１明るさに代えて、第２明るさを用いればよい。
【０１２２】
また、調整部１４Ｆは、新たに算出された色情報を用いたプレビュー画像３４を表示部２０へ表示するように、表示制御部１４Ｄを制御する。このため、表示制御部１４Ｄは、強度比については変更せず、明るさを第１明るさから第２明るさへ変更した、プレビュー画像３４を生成する。
【０１２３】
すなわち、第３取得部１４Ｅが、仮想空間に配置された光源の明るさの変更指示を取得した場合、表示制御部１４Ｄは、光源効果としての直接光の強度と間接光の強度との強度比については維持したまま、環境情報によって示される第１明るさを第２明るさに変更した、表示部２０に表示する制御を行う。
【０１２４】
図１１〜図１２は、明るさを変更した原稿表示面３２の一例を示す図である。図１１は、図７に示す、直接光の強度と間接光の強度との比が１．０対１．０である原稿表示面３２Ａに設定されている明るさを、該原稿表示面３２Ａの第１明るさより明るい第２明るさに変更した場合の、原稿表示面３２Ｄの一例を示す図である。
【０１２５】
図１２は、図７に示す、直接光の強度と間接光の強度との比が１対１である原稿表示面３２Ａに設定されている明るさを、原稿表示面３２Ａの第１明るさより暗い第２明るさに変更した場合の、原稿表示面３２Ｅの一例を示す図である。
【０１２６】
なお、第３取得部１４Ｅは、変更指示を取得する度に、変更指示に含まれる各項目と、該変更指示に応じて生成されたプレビュー画像３４に用いた他の項目（例えば、背景画像、光源位置、光源効果、及び明るさ）と、に、新たな環境ＩＤ及び環境名を付与して、環境履歴情報（図３参照）に登録する。これにより、環境履歴情報が、随時更新される。
【０１２７】
また、第３取得部１４Ｅが、明るさ以外の観察環境の変更指示を取得した場合、調整部１４Ｆは、変更指示によって示される各項目を反映させたプレビュー画像３４を再生成するように、表示制御部１４Ｄを制御する。
【０１２８】
なお、第３取得部１４Ｅが、光源効果（直接光の強度と間接光の強度との比率）の変更指示を取得した場合、調整部１４Ｆは、変更後の強度比である第２強度比と、変更前の明るさである第１明るさと、を用いて、色情報を算出するように、算出部１４Ｃを制御する。そして、表示制御部１４Ｄは、新たに算出された色情報を用いて、上記と同様の方法により、プレビュー画像３４を生成すればよい。
【０１２９】
また、第３取得部１４Ｅが、原稿属性情報の変更指示を取得した場合、調整部１４Ｆは、変更指示によって示される各項目（原稿データ、質感情報）を用いたプレビュー画像３４を再生成するように、表示制御部１４Ｄを制御する。
【０１３０】
次に、表示処理装置１０で実行する表示処理の流れを説明する。図１３は、表示処理装置１０で実行する表示処理の手順を示すフローチャートである。
【０１３１】
まず、第１取得部１４Ａが、原稿属性情報を入力部１８から取得する（ステップＳ１００）。本実施の形態では、原稿属性情報は、上述したように、表示対象の原稿データと、質感情報と、を含む。
【０１３２】
次に、第２取得部１４Ｂが、環境情報を取得する（ステップＳ１０２）。本実施の形態では、環境情報は、上述したように、第１明るさと、第１強度比（光源効果）と、背景画像と、光源位置と、を含む。
【０１３３】
次に、算出部１４Ｃが、上記ステップＳ１０２で取得した環境情報に含まれる、第１明るさと第１強度比とに応じた、光源Ｌの色情報を算出する（ステップＳ１０４）。
【０１３４】
次に、表示制御部１４Ｄが、ステップＳ１００で取得した原稿属性情報と、ステップＳ１０２で取得した環境情報と、ステップＳ１０４で算出された色情報と、を用いて、プレビュー画像３４を表示部２０に表示する制御を行う（ステップＳ１０６）。
【０１３５】
次に、第３取得部１４Ｅが、ステップＳ１０６で表示部２０に表示されたプレビュー画像３４について、環境情報、または原稿属性情報の変更指示を取得したか否かを判断する（ステップＳ１０８）。ステップＳ１０８で否定判断すると（ステップＳ１０８：Ｎｏ）、後述するステップＳ１１６へ進む。
【０１３６】
一方、ステップＳ１０８で肯定判断すると（ステップＳ１０８：Ｙｅｓ）、ステップＳ１１０へ進む。
【０１３７】
ステップＳ１１０では、第３取得部１４Ｅは、上記ステップＳ１０８で取得した変更指示が、明るさの変更指示である第１変更指示であるか否かを判断する（ステップＳ１１０）。ステップＳ１１０で肯定判断すると（ステップＳ１１０：Ｙｅｓ）、ステップＳ１１２へ進む。
【０１３８】
ステップＳ１１２では、調整部１４Ｆが、ステップＳ１０８で取得した変更指示としての第１変更指示によって示される変更後の明るさである第２明るさと、ステップＳ１０２で取得した環境情報に含まれる第１強度比と、に応じた色情報を算出するように、算出部１４Ｃを制御する（ステップＳ１１２）。
【０１３９】
次に、調整部１４Ｆは、ステップＳ１１２で新たに算出された色情報を用いたプレビュー画像３４を表示部２０へ表示するように、表示制御部１４Ｄを制御する（ステップＳ１１４）。このため、表示制御部１４Ｄは、強度比については変更せず、明るさを第１明るさから第２明るさへ変更した、プレビュー画像３４を表示部２０へ表示する。
【０１４０】
次に、表示処理部１４は、表示処理を終了するか否かを判断する（ステップＳ１１６）。例えば、表示処理部１４は、表示処理の終了を示す信号を入力部１８から受け付けたか否かを判別することで、ステップＳ１１６の判断を行う。表示処理の終了を示す信号は、例えば、ユーザによる入力部１８の操作によって、表示処理装置１０における予め定めた領域が指示されることで、入力部１８から表示処理部１４へ出力される。表示処理部１４は、この信号を受け付けたか否かを判別することで、ステップＳ１１６の判断を行えばよい。
【０１４１】
ステップＳ１１６で肯定判断すると（ステップＳ１１６：Ｙｅｓ）、本ルーチンを終了する。一方、ステップＳ１１６で否定判断すると（ステップＳ１１６：Ｎｏ）、上記ステップＳ１００へ戻る。なお、ステップＳ１１６で否定判断すると（ステップＳ１１６：Ｎｏ）、上記ステップＳ１０８へ戻ってもよい。
【０１４２】
一方、上記ステップＳ１１０で否定判断すると（ステップＳ１１０：Ｎｏ）、ステップＳ１１８へ進む。ステップＳ１１８では、第３取得部１４Ｅが、明るさ以外の観察環境の変更指示をステップＳ１０８で取得したか否かを判断する（ステップＳ１１８）。ステップＳ１１８で肯定判断すると（ステップＳ１１８：Ｙｅｓ）、ステップＳ１２０へ進む。
【０１４３】
ステップＳ１２０では、調整部１４Ｆは、変更指示によって示される各項目を反映させたプレビュー画像３４を再生成するように、表示制御部１４Ｄを制御する（ステップＳ１２０）。そして、上記ステップＳ１１６へ進む。なお、第３取得部１４Ｅが、光源効果（直接光の強度と間接光の強度との比率）の変更指示を取得した場合、調整部１４Ｆは、変更後の強度比である第２強度比と、変更前の明るさである第１明るさと、を用いて、色情報を算出するように、算出部１４Ｃを制御する。そして、表示制御部１４Ｄは、新たに算出された色情報を用いて、上記と同様の方法により、プレビュー画像３４を生成すればよい。
【０１４４】
一方、ステップＳ１１８で否定判断すると（ステップＳ１１８：Ｎｏ）、ステップＳ１２２へ進む。ステップＳ１２２では、第３取得部１４Ｅが、原稿属性情報の変更指示を受け付けたか否かを判断する（ステップＳ１２２）。ステップＳ１２２で否定判断すると（ステップＳ１２２：Ｎｏ）、上記ステップＳ１１６へ進む。
【０１４５】
ステップＳ１２２で肯定判断すると（ステップＳ１２２：Ｙｅｓ）、ステップＳ１２４へ進む。ステップＳ１２４では、調整部１４Ｆは、変更指示によって示される各項目（原稿データ、質感情報）を用いたプレビュー画像３４を再生成するように、表示制御部１４Ｄを制御する（ステップＳ１２４）。そして、上記ステップＳ１１６へ進む。
【０１４６】
以上説明したように、本実施の形態の表示処理装置１０は、第１取得部１４Ａと、第２取得部１４Ｂと、算出部１４Ｃと、表示制御部１４Ｄと、第３取得部１４Ｅと、調整部１４Ｆと、を備える。
【０１４７】
第１取得部１４Ａは、表示対象の原稿データを取得する。第２取得部１４Ｂは、三次元の仮想空間Ｓに配置された光源Ｌから該仮想空間Ｓに配置された原稿データの原稿面３１に照射される光の第１明るさと、光源Ｌが原稿面３１に与える光源効果としての、光源Ｌから原稿面３１に到る直接光の強度と間接光の強度との第１強度比と、を含む環境情報を取得する。算出部１４Ｃは、第１明るさと第１強度比とに応じた、光源Ｌの色情報を算出する。表示制御部１４Ｄは、仮想空間Ｓに原稿面３１を配置すると共に、算出された色情報の色の光源Ｌを予め定めた位置に配置し、該原稿面３１を視点位置Ｐから視認した二次元画像に変換した原稿表示面３２を含む画像を、原稿データの印刷結果を推定したプレビュー画像３４として表示部２０に表示する制御を行う。第３取得部１４Ｅは、第２明るさへの第１変更指示を取得する。調整部１４Ｆは、第１変更指示を取得したときに、第２明るさと第１強度比とに応じた色情報を算出するように算出部１４Ｃを制御すると共に、該色情報を用いたプレビュー画像３４を表示部２０へ表示するように表示制御部１４Ｄを制御する。
【０１４８】
このように、本実施の形態の表示処理装置１０では、光源Ｌが原稿面３１に与える光源効果としての、光源Ｌから原稿面３１に到る直接光の強度と間接光の強度との強度比を加味した、プレビュー画像３４を表示部２０に表示することができる。また、光源Ｌの明るさを変更する場合、強度比については前回設定した値（第１強度比）を維持したまま、明るさのみを変更した、プレビュー画像３４を再生成し、表示部２０に表示することができる。このため、プレビュー画像３４に含まれる原稿表示面３２における、光源Ｌの上記強度比を維持したまま、原稿表示面３２の全体の明るさを調整することができる。
【０１４９】
従って、本実施の形態の表示処理装置１０は、実際の観察環境に近い自然なプレビュー画像３４を提供することができる、という効果を奏する。
【０１５０】
また、本実施の形態では、光源Ｌが原稿面３１に与える光源効果として、光源Ｌから原稿面３１に到る直接光の強度と間接光の強度との強度比を用いる。このように、本実施の形態では、光源効果を、直接光と、間接光と、の２種類の光に分類して用いる。このため、間接光による効果も含むプレビュー画像３４を提供することができる。
【０１５１】
また、ユーザは、観察環境に応じて、光源Ｌによる強度比を維持したまま、原稿表示面３２の全体の明るさを容易に調整することができる。
【０１５２】
また、本実施の形態では、第３取得部１４Ｅが、明るさ以外の観察環境の変更指示や、原稿属性情報の変更指示を取得した場合、調整部１４Ｆは、変更指示によって示される各項目を反映させたプレビュー画像３４を再生成するように、表示制御部１４Ｄを制御する。
【０１５３】
このため、表示制御部１４Ｄは、変更指示に示される各項目のみを変更したプレビュー画像３４を再生成することができる。これにより、同じ環境（環境名または環境ＩＤ）について、原稿データや光属性などを適宜変更したプレビュー画像３４を再生成し、表示部２０に表示することができる。
【０１５４】
すなわち、原稿データに関する原稿属性情報については同じで、環境情報に含まれる各項目の少なくとも一部を変更した様々なプレビュー画像３４を容易に提供することができる。また、同用に、環境情報については同じで、原稿データに関する原稿属性情報に含まれる各項目（原稿データ、質感情報）の少なくとも一部を変更した様々なプレビュー画像３４を容易に提供することができる。
【０１５５】
なお、本実施の形態では、表示処理装置１０は、撮影部１２を備えた構成である場合を説明した。しかし、表示処理装置１０は、撮影部１２を備えない構成であってもよい。なお、表示処理装置１０を、撮影部１２を備えた構成とすることで、背景画像を撮影部１２から取得することが可能となる。このため、ユーザは、印刷結果を観察したい場所で、即座に、原稿データの印刷結果を推定したプレビュー画像３４を確認することができる。
【０１５６】
また、表示処理装置１０を、撮影部１２を備えた構成とすることで、表示処理装置１０を、カメラ機能付きの携帯端末や、カメラ機能付きのタブレットＰＣ（パーソナルコンピュータ）等に適用可能である。
【０１５７】
なお、本実施の形態では、記憶部１６は、質感情報テーブルや、環境履歴情報を、予め記憶する形態を説明した。しかし、記憶部１６は、質感情報テーブルや、環境履歴情報を、記憶しない形態であってもよい。
【０１５８】
記憶部１６に、質感情報テーブルを予め記憶しない場合、第１取得部１４Ａは、原稿属性情報として、原稿データを取得し、質感情報を取得しない形態とすればよい。また、表示制御部１４Ｄは、質感情報に応じた反射情報の設定を行わない形態とすればよい。
【０１５９】
但し、より実際の観察環境に近い状態のプレビュー画像３４を提供する観点からは、質感情報を用いる形態が好ましい。
【０１６０】
また、記憶部１６は、環境履歴情報を記憶しない形態であってもよいが、記憶部１６が環境履歴情報を記憶することが好ましい。記憶部１６が、環境履歴情報を記憶することで、表示制御部１４Ｄは、ユーザに対して、過去に選択された環境情報の履歴を選択可能に提供することができる。
【０１６１】
また、本実施の形態では、環境情報が、背景画像と、光源位置と、光源効果と、明るさと、を含む情報である場合を説明した。しかし、上述したように、環境情報は、光源効果と、明るさと、を少なくとも含む情報であればよい。ただし、環境情報が、背景画像と、光源位置と、光源効果と、明るさと、を含む情報であると、表示制御部１４Ｄは、ユーザによる入力部１８の操作指示によって取得した、背景画像と、光源位置と、光源効果と、明るさと、を用いて、プレビュー画像３４を生成することができる。このため、より実際の観察環境に近い状態のプレビュー画像３４を提供する観点からは、環境情報が、背景画像と、光源位置と、光源効果と、明るさと、を含む情報であることが好ましい。
【０１６２】
（第２の実施の形態）
なお、上記実施の形態の表示処理装置１０で行っていた処理の少なくとも一部を、表示処理装置１０とネットワーク等を接続されたクラウド上の一以上の装置で行ってもよい。
【０１６３】
図１４は、クラウドを備えた表示処理システムの一例を示す模式図である。
【０１６４】
図１４に示すように、表示処理システムは、表示処理装置１０Ｂ、及びサーバ装置５４がネットワーク５２により接続された構成である。
【０１６５】
表示処理装置１０Ｂは、撮影部１２、表示処理部１４、入力部１８、表示部２０、及び通信部５０を備える。撮影部１２、表示処理部１４、入力部１８、表示部２０、及び通信部５０は、バス２２で接続されている。なお、撮影部１２、表示処理部１４、入力部１８、および表示部２０は、上記実施の形態と同様である。
【０１６６】
サーバ装置５４は、クラウド上の位置の装置である。サーバ装置５４は、上記で説明した記憶部１６を備える。記憶部１６の機能は、上記実施の形態と同様である。
【０１６７】
なお、上記実施の形態と異なる点は、本実施の形態においては、表示処理部１４は、記憶部１６から各種情報を取得し、環境履歴情報の更新や設定情報の記憶などを、サーバ装置５４に格納された記憶部１６に対して行う。
【０１６８】
なお、サーバ装置５４が行う処理は本例に限定されるものではなく、サーバ装置５４は、本実施の形態にかかる表示処理システムが行う処理の一部を行うことができる。
【０１６９】
また、表示処理システムは、２以上のサーバ装置を備えてもよい。この場合には、実施の形態にかかる表示処理システムが行う処理の一部を、各サーバ装置に分散させる。さらに、各サーバに分散させる処理については、任意に設定することができる。
【０１７０】
（第３の実施の形態）
次に、上述した表示処理装置１０、１０Ｂ、およびサーバ装置５４のハードウェア構成について説明する。
【０１７１】
図１５は、表示処理装置１０、１０Ｂ、およびサーバ装置５４のハードウェア構成図である。表示処理装置１０、１０Ｂ、およびサーバ装置５４は、ハードウェア構成として、装置全体を制御する制御装置（例えば、ＣＰＵ）２９０１と、各種データや各種プログラムを記憶する主記憶装置（例えば、ＲＯＭ）２９０２と、各種データや各種プログラムを記憶する補助記憶装置（例えば、ＲＡＭ）２９０３と、キーボードやマウス等の入力装置２９０５と、ディスプレイ装置等の表示装置２９０４とを主に備えており、通常のコンピュータを利用したハードウェア構成となっている。なお、入力装置２９０５は、図１の入力部１８に相当し、表示装置２９０４は、図１の表示部２０に相当する。
【０１７２】
上記実施の形態の表示処理装置１０、１０Ｂ、及びサーバ装置５４で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０１７３】
また、上記実施の形態の表示処理装置１０、１０Ｂ、及びサーバ装置５４で実行されるプログラムを、インターネット等のネットワークに接続されたコンピュータ上に格納し、ネットワーク経由でダウンロードさせることにより提供するように構成してもよい。また、上記実施の形態の表示処理装置１０、１０Ｂ、及びサーバ装置５４で実行されるプログラムをインターネット等のネットワーク経由で提供または配布するように構成してもよい。
【０１７４】
また、上記実施の形態の表示処理装置１０、１０Ｂ、及びサーバ装置５４で実行されるプログラムを、ＲＯＭ等に予め組み込んで提供するように構成してもよい。
【０１７５】
上記実施の形態の表示処理装置１０、１０Ｂ、及びサーバ装置５４で実行されるプログラムは、上述した各部を含むモジュール構成となっており、実際のハードウェアとしてはＣＰＵ（プロセッサ）が上記記憶媒体からプログラムを読み出して実行することにより上記各部が主記憶装置上にロードされ、上記各部が主記憶装置上に生成されるようになっている。
【０１７６】
なお、本発明は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、種々の変形が可能である。
【符号の説明】
【０１７７】
１０、１０Ｂ  表示処理装置
１４  表示処理部
１４Ａ  第１取得部
１４Ｂ  第２取得部
１４Ｃ  算出部
１４Ｄ  表示制御部
１４Ｅ  第３取得部
１４Ｆ  調整部
１６  記憶部
１８  入力部
２０  表示部
【先行技術文献】
【特許文献】
【０１７８】
【特許文献１】特開２００９−１５２７５９号公報
【特許文献２】特開２０１２−４４４２１号公報
【図１】
2015232832.tif 000003
【図２】
2015232832.tif 000004
【図３】
2015232832.tif 000005
【図４】
2015232832.tif 000006
【図５】
2015232832.tif 000007
【図１０】
2015232832.tif 000008
【図１３】
2015232832.tif 000009
【図１４】
2015232832.tif 000010
【図１５】
2015232832.tif 000011
【図６】
2015232832.tif 000012
【図７】
2015232832.tif 000013
【図８】
2015232832.tif 000014
【図９】
2015232832.tif 000015
【図１１】
2015232832.tif 000016
【図１２】
2015232832.tif 000017